【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
被験者の睡眠時における呼吸状態を検出する検出装置と、前記検出装置から出力される信号を送信する送信装置と、前記送信装置より送信される信号を受信する受信装置とを有し、前記送信装置及び前記受信装置に無線通信用の無線通信手段を備えた睡眠時呼吸検査装置であって、
前記検査装置が検出した信号に基づいて前記被験者の呼吸の正常又は異常の判定を行う異常判定手段を有し、
前記異常判定手段の判定結果に基づいて、前記送信装置と前記受信装置との間で行われる無線通信を断続させる通信切替手段を有することを特徴とする睡眠時呼吸検査装置。
【請求項２】
前記被験者の呼吸の正常又は異常を判定した結果、又は前記被験者の呼吸状態を表す信号を表示する表示手段を備えることを特徴とする請求項１に記載の睡眠時呼吸検査装置。
【請求項３】
無呼吸状態の継続時間を計測する無呼吸時間計測部を有することを特徴とする請求項１に記載の睡眠時呼吸検査装置。
【請求項４】
前記異常判定手段は、前記無呼吸時間計測部により計測された無呼吸状態の継続時間が所定時間を越えた場合に呼吸異常と判定し、前記通信切替手段は、前記異常判定手段が呼吸異常と判定した場合にのみ、前記送信装置から前記被験者の呼吸状態を表す信号を送信させることを特徴とする請求項３に記載の睡眠時呼吸検査装置。
【請求項５】
前記異常判定手段は、呼吸の周期を計測する呼吸周期計測部を有することを特徴とする請求項１に記載の睡眠時呼吸検査装置。
【請求項６】
前記送信装置は、前記被験者の呼吸１回について１回だけ前記被験者の呼吸状態を表す信号を送信することを特徴とする請求項１に記載の睡眠時呼吸検査装置。
【請求項７】
前記送信装置は、前記被験者の腕に装着するための腕装着手段を有することを特徴とする請求項１に記載の睡眠時呼吸検査装置。
【請求項８】
前記検出装置と前記送信装置とが一体に設けられていることを特徴とする請求項１に記載の睡眠時呼吸検査装置。
【請求項９】
前記検出装置と前記送信装置とを着脱自在にする着脱手段を設けたことを特徴とする請求項１に記載の睡眠時呼吸検査装置。
【請求項１０】
前記受信装置は、前記検出装置から得られたデータを他の機器に送信するデータ送信手段を有することを特徴とする請求項１に記載の睡眠時呼吸検査装置。
【請求項１１】
被験者の睡眠時における呼吸状態を検出する検出装置と、前記検出装置から出力される信号を送信する送信装置と、前記送信装置より送信される信号を受信する受信装置とを有し、前記送信装置及び前記受信装置に無線通信用の無線通信手段を備えた睡眠時呼吸装置であって、
前記送信装置と前記受信装置とに、前記受信装置の受信信号感度に応じて前記送信装置の送信信号の強度を必要最低限に制御するフィードバック制御手段を有することを特徴とする睡眠時呼吸検査装置。
【請求項１２】
前記フィードバック制御手段は、前記受信装置に設けられる受信信号の強度を測定する受信強度測定手段と、前記受信強度測定手段から無線通信により送信される前記受信信号の強度の信号に基づいて送信信号の出力を調整する送信出力調整手段とを有することを特徴とする請求項１１に記載の睡眠時呼吸検査装置。
【請求項１３】
被験者の睡眠時における呼吸状態を検出する検出装置と、前記検出装置で得られた信号を分析する分析手段とを有し、前記検出装置及び前記分析手段に記録メディアを介して情報を受け渡すための情報交換手段を備えることを特徴とする睡眠時呼吸検査装置。
【請求項１４】
前記検出装置に、前記記録メディアを装着する第１の装着手段と、前記記録メディアにデータを書き込むデータ書き込み手段とが設けられ、前記分析手段に、前記記録メディアを装着する第２の装着手段と、前記記録メディアからデータを読み込むデータ読み込み手段とが設けられることを特徴とする請求項１３に記載の睡眠時呼吸検査装置。
【請求項１５】
前記分析手段が汎用のコンピュータであることを特徴とする請求項１３又は請求項１４に記載の睡眠時呼吸検査装置。
【手続補正２】
【補正対象書類名】明細書
【補正対象項目名】０００４
【補正方法】変更
【補正の内容】
【０００４】
上記の課題を解決する本発明の請求項１に係る発明は被験者の睡眠時における呼吸状態を検出する検出装置と、前記検出装置から出力される信号を送信する送信装置と、前記送信装置より送信される信号を受信する受信装置とを有し、前記送信装置及び前記受信装置に無線通信用の無線通信手段を備えた睡眠時呼吸装置であって、前記検査装置が検出した信号に基づいて前記被験者の呼吸の正常又は異常の判定を行う異常判定手段を有し、前記異常判定手段の判定結果に基づいて、前記送信装置と前記受信装置との間で行われる無線通信を断続させる通信切替手段を有することを特徴とする睡眠時呼吸検査装置とした。
この睡眠時呼吸検査装置によれば、被験者側に取り付けられる装置と、被験者から離れた位置にある受信装置との間で無線通信を利用してデータの送受信を行うことができる。さらに、異常判定手段が被験者の呼吸状態を判定する。異常判定手段の判定結果は、例えば、無線通信の断続の切り替えに用いられる。この異常判定手段は、通信切替手段に設けても良いし、通信切替手段とは別に設けられても良い。通信切替手段で無線通信を断続させるので、無線通信を行う時間を減少させることができる。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
本発明の請求項２に係る発明は、請求項１に記載の睡眠時呼吸検査装置において、前記被験者の呼吸の正常又は異常を判定した結果、又は前記被験者の呼吸状態を表す信号を表示する表示手段を備えることを特徴とする。
この睡眠時呼吸検査装置によれば、表示手段により被験者の呼吸状態を目視で確認することが可能になる。この表示手段は受信装置と一体に設けられても良いし、別体で設けられても良い。
【手続補正５】
【補正対象書類名】明細書
【補正対象項目名】０００７
【補正方法】変更
【補正の内容】
【０００７】
本発明の請求項３に係る発明は、請求項１に記載の睡眠時呼吸検査装置において、無呼吸状態の継続時間を計測する無呼吸時間計測部を有することを特徴とする。
この睡眠時呼吸検査装置によれば、異常判定の判定アルゴリズムとして無呼吸状態が継続する時間（無呼吸時間）が用いることが可能になる。無呼吸時間が予め設定された時間を越えた場合には呼吸異常と判定され、それ以下であれば正常な呼吸であると判定される。無呼吸時間測定部は異常判定手段に設けても良いし、異常判定手段とは別に設けても良い。
【手続補正６】
【補正対象書類名】明細書
【補正対象項目名】０００８
【補正方法】変更
【補正の内容】
【０００８】
本発明の請求項４に係る発明は、請求項３に記載の睡眠時呼吸検査装置において、前記異常判定手段は、前記無呼吸時間計測部により計測された無呼吸状態の継続時間が所定時間を越えた場合に呼吸異常と判定し、前記通信切替手段は、前記異常判定手段が呼吸異常と判定した場合にのみ、前記送信装置から前記被験者の呼吸状態を表す信号を送信させることを特徴とする。
この睡眠時呼吸検査装置によれば、無呼吸状態にあると判定されたときにのみ、無線通信が行われるので、全体としての通信時間を減少させることができる。
【手続補正７】
【補正対象書類名】明細書
【補正対象項目名】０００９
【補正方法】変更
【補正の内容】
【０００９】
本発明の請求項５に係る発明は、請求項１に記載の睡眠時呼吸検査装置において、前記異常判定手段は、呼吸の周期を計測する呼吸周期計測部を有することを特徴とする。
この睡眠時呼吸検査装置によれば、異常判定の判定アルゴリズムとして呼吸の周期が用いられる。呼吸の周期に乱れがほとんどない場合には正常な呼吸と判定し、呼吸の周期が乱れた場合には呼吸異常と判定される。
【手続補正８】
【補正対象書類名】明細書
【補正対象項目名】００１０
【補正方法】変更
【補正の内容】
【００１０】
本発明の請求項６に係る発明は、請求項１に記載の睡眠時呼吸検査装置において、前記送信装置は前記被験者の呼吸１回について１回だけ前記被験者の呼吸状態を表す信号を送信することを特徴とする。
この睡眠時呼吸検査装置によれば、１回の呼吸に対して１回だけ信号が送信されるので、１回の呼吸の間、連続して信号を送信する場合に比べて無線通信の時間を短縮できる。
【手続補正９】
【補正対象書類名】明細書
【補正対象項目名】００１１
【補正方法】変更
【補正の内容】
【００１１】
本発明の請求項７に係る発明は、請求項１に記載の睡眠時呼吸検査装置において、前記送信装置は、前記被験者の腕に装着するための腕装着手段を有することを特徴とする。
この睡眠時呼吸検査装置によれば、検出装置から送信装置までを被験者に取り付けることができる。また、受信装置を被験者から離れた場所に設けることができる。
【手続補正１０】
【補正対象書類名】明細書
【補正対象項目名】００１２
【補正方法】変更
【補正の内容】
【００１２】
本発明の請求項８に係る発明は、請求項１に記載の睡眠時呼吸検査装置において、前記検出装置と前記送信装置とが一体に設けられていることを特徴とする。
この睡眠時呼吸検査装置によれば、検出装置から送信装置までを被験者に取り付けることができる。さらに、検出装置から送信装置までを接続させるケーブルが不要になる。
【手続補正１１】
【補正対象書類名】明細書
【補正対象項目名】００１３
【補正方法】変更
【補正の内容】
【００１３】
本発明の請求項９に係る発明は、請求項１に記載の睡眠時呼吸検査装置において、前記検出装置と前記送信装置を着脱自在にする着脱手段を設けたことを特徴とする。
この睡眠時呼吸検査装置によれば、検出装置に対して送信装置を着脱させることが可能になる。例えば、検出装置と送信装置をケーブル接続される場合には、ケーブルが着脱自在に構成される。また、検出装置と送信装置が一体に構成される場合には、嵌合手段などが設けられる。
【手続補正１２】
【補正対象書類名】明細書
【補正対象項目名】００１４
【補正方法】変更
【補正の内容】
【００１４】
本発明の請求項１０に係る発明は、請求項１に記載の睡眠時呼吸検査装置において、前記受信装置は、前記検出装置から得られたデータを他の機器に送信するデータ送信手段を有することを特徴とする。
この睡眠時呼吸検査装置によれば、他の機器においてデータの分析や、表示、保存が行えるようになる。
【手続補正１３】
【補正対象書類名】明細書
【補正対象項目名】００１５
【補正方法】変更
【補正の内容】
【００１５】
本発明の請求項１１に係る発明は、被験者の睡眠時における呼吸状態を検出する検出装置と、前記検出装置から出力される信号を送信する送信装置と、前記送信装置より送信される信号を受信する受信装置とを有し、前記送信装置及び前記受信装置に無線通信用の無線通信手段を備えた睡眠時呼吸装置であって、前記送信装置と前記受信装置とに、前記受信装置の受信信号感度に応じて前記送信装置の送信信号の強度を必要最低限に制御するフィードバック制御手段を有することを特徴とする睡眠時呼吸検査装置とした。
この睡眠時呼吸検査装置によれば、被験者側に取り付けられる装置と、被験者から離れた位置にある受信装置との間で無線通信を利用してデータの送受信を行うことができる。さらに、送信信号の強度をフィードバック制御することにより、送信装置の出力を必要最低限に抑えることが可能になる。
【手続補正１４】
【補正対象書類名】明細書
【補正対象項目名】００１６
【補正方法】変更
【補正の内容】
【００１６】
本発明の請求項１２に係る発明は、請求項１１に記載の睡眠時呼吸検査装置において、前記フィードバック制御手段は、前記受信装置に設けられる受信信号の強度を測定する受信強度測定手段と、前記受信強度測定手段から無線通信により送信される前記受信信号の強度の信号に基づいて送信信号の出力を調整する送信出力調整手段とを有することを特徴とする。
この睡眠時呼吸検査装置は、受信装置側で受信信号強度を測定し、これに基づいて送信装置の出力の制御信号を作成し、この制御信号を無線通信により被験者側に送信し、送信装置の出力を制御する。
【手続補正１５】
【補正対象書類名】明細書
【補正対象項目名】００１７
【補正方法】変更
【補正の内容】
【００１７】
本発明の請求項１３に係る発明は、被験者の睡眠時における呼吸状態を検出する検出装置と、前記検出装置で得られた信号を分析する分析手段とを有し、前記検出装置及び前記分析手段に記録メディアを介して情報を受け渡すための情報交換手段を備えることを特徴とする睡眠時呼吸検査装置とした。
この睡眠時呼吸検査装置によれば、被験者に取り付けられる装置と、被験者から離れて位置する分析手段との間のデータの受け渡し記録メディアを用いて行われるようになるので、有線による接続や、無線通信が不要になる。
【手続補正１６】
【補正対象書類名】明細書
【補正対象項目名】００１８
【補正方法】変更
【補正の内容】
【００１８】
本発明の請求項１４に係る発明は、請求項１３に記載の睡眠時呼吸検査装置において、前記検出装置に、前記記録メディアを装着する第１の装着手段と、前記記録メディアにデータを書き込むデータ書き込み手段とが設けられ、前記分析手段に、前記記録メディアを装着する第２の装着手段と、前記記録メディアからデータを読み込むデータ読み込み手段とが設けられることを特徴とする。
この睡眠時呼吸検査装置は、情報交換手段が第１の装着手段と、データ書き込み手段と、第２の装着手段と、データ読み込み手段とから構成されている。
【手続補正１７】
【補正対象書類名】明細書
【補正対象項目名】００１９
【補正方法】変更
【補正の内容】
【００１９】
本発明の請求項１５に係る発明は、請求項１３又は請求項１４に記載の睡眠時呼吸検査装置において、前記分析手段が汎用のコンピュータであることを特徴とする。
この睡眠時呼吸検査装置は、分析手段を汎用のコンピュータに所定の分析アルゴリズムをインストールした構成を有している。
【手続補正１８】
【補正対象書類名】明細書
【補正対象項目名】００２０
【補正方法】変更
【補正の内容】
【００２０】
請求項１に記載した発明によれば、被験者側に取り付けられる装置と、被験者から離れた位置にある受信装置とを無線通信を利用して接続することで、この間に有線のケーブルが不要になり、被験者の拘束感を減少させることができる。さらに、常判定手段の判定結果に応じて無線通信を断続させると、通信時間を減少させることができるので、送信装置のバッテリを長寿命化することができる。
請求項２に記載した発明によれば、被験者の呼吸状態を確認することが可能になるので、適切な処置を速やかに講じることが可能になる。
請求項３に記載した発明によれば、無呼吸時間を計測することで呼吸異常を判定することが可能になる。
【手続補正１９】
【補正対象書類名】明細書
【補正対象項目名】００２１
【補正方法】変更
【補正の内容】
【００２１】
請求項４に記載した発明によれば、無呼吸状態にあると判定されたときにのみ、無線通信が行われるので、全体としての通信時間を減少させることができる。したがって、通信時間を減少させることができ、バッテリの長寿命化が図れる。
請求項５に記載した発明によれば、呼吸の周期を調べることで通信切替手段において呼吸異常を判定することができる。
請求項６に記載した発明によれば、１回の通信に要する時間を短縮できるので全体としての通信時間を減少させることができ、バッテリの長寿命化が図れる。
請求項７に記載した発明によれば、送信装置を腕に確実に装着することが可能になる。また、受信装置を被験者から離れさせることが可能になるので、被験者の拘束感を低減できる。
請求項８に記載した発明によれば、検出装置から送信装置までを被験者に取り付けることができる。ケーブルが不要になるので、被験者の拘束感を低減できる。
【手続補正２０】
【補正対象書類名】明細書
【補正対象項目名】００２２
【補正方法】変更
【補正の内容】
【００２２】
請求項９に記載した発明によれば、検出装置を着脱自在に構成することで、検出装置の交換や洗浄が容易になるので、検出装置を常に清潔な状態に保つことができる。
請求項１０に記載した発明によれば、受信装置とは異なる他の機器においてデータの分析や、表示、保存が行えるようになるので、受信装置を小型化、低価格化できる。
請求項１１に記載した発明によれば、被験者に取り付けられる装置から離れた場所にデータを蓄積する装置を設け、両者の間で無線通信をするように構成されるので、被験者の拘束感を減少させることができる。さらに、送信装置から送信する信号の強度をフィードバック制御することにより、送信装置の出力を必要最低限に抑えることが可能になるので、送信装置のバッテリを長寿命化できる。
請求項１２に記載した発明によれば、受信装置側で受信信号強度を測定し、送信装置側に制御信号を無線送信するようにしたので、両者の間を有線接続する必要がなくなり、被験者の拘束感を低減できる。
【手続補正２１】
【補正対象書類名】明細書
【補正対象項目名】００２３
【補正方法】変更
【補正の内容】
【００２３】
請求項１３に記載した発明によれば、検出装置で検出した信号を記録メディアに記録するようにしたので、検出装置と分析手段とを有線で接続する場合に比べて、被験者の拘束感を低減できる。さらに、無線通信を行う場合に比べて、検出装置のバッテリを長寿命化できる。
請求項１４に記載した発明によれば、情報交換手段が第１の装着手段と、データ書き込み手段と、第２の装着手段と、データ読み込み手段とから構成されているので、簡単な構成で拘束感の低減や、バッテリの長寿命化が図れる。
請求項１５に記載した発明によれば、分析手段は所定の分析アルゴリズムをインストールした汎用のコンピュータで足りるので、装置構成が簡単になり、低価格化が図れる。
【手続補正２２】
【補正対象書類名】明細書
【補正対象項目名】００３７
【補正方法】変更
【補正の内容】
【００３７】
さらに、睡眠時呼吸検査装置１は、検出装置４及び通信切替手段６並びに送信装置８を一体的に構成しても良い。例えば、図７に示すような検出装置４は、鼻孔に対応させた２つの鼻呼吸センサ１３を有し、さらに通信切替手段６と送信装置８とを備える。ここで、送信装置８は、図２に示す送信機３３とアンテナ３４とバッテリ３５とからなる。また、この検出装置４を被験者に取り付ける手段として、図１に示すような止め具１２か、頭部に締め付けるバンドの少なくとも一方を有している。
この睡眠時呼吸検査装置１によれば、検出装置４と通信切替手段６と送信装置８を一体に構成し、さらに被験者の鼻下に取り付けるようにしたので、図２に示すようなケーブル５，７が不要になり、被験者の拘束感をさらに減少させることができる。また、通信切替手段６と送信装置８とが協働することで上述のようにバッテリ３４の長寿命化が図れる。
なお、通信切替手段６を有しない睡眠時呼吸検査装置であっても、検出装置４と送信装置８とを一体的に構成しても良い。この場合にも上述と同様の効果を得ることができる。
【手続補正２３】
【補正対象書類名】図面
【補正対象項目名】図３
【補正方法】変更
【補正の内容】
【図３】
2005110907.tif 000001